(57)【要約】【課題】  解像度が低いフォーカスの大きいセンサを用いて、センサの解像度より高い解像度のプリンタのレジ調整を行うことを目的とする。【解決手段】  印刷媒体にプリントヘッドでプリンタ装置の制御可能な最高解像度で、走査線方向に１ドットづつ移動した調整パターンを印字する。調整パターンをセンサで往路と復路で読み取り、往路と復路のセンサで得られた値の分布が、往路と復路でもっとも近い値の分布をしたときのレジのずれ量を最適レジとすることで、フォーカスの大きいセンサでレジ調整が可能となる。【選択図】  図１
2006123457.tif 000002
【特許請求の範囲】
【請求項１】
プリントヘッドを具備するプリンタの調整方法において、プリンタの設定可能な最高解像度の１ドット単位で双方向レジ値をずらした調整パターンをセンサで往路と復路でよみとり、往路と復路でもっとも近いセンサ値の分布を示したパターンをプリンタの最適なレジ値とする。
【請求項２】
プリントヘッドを具備するプリンタの調整方法において、プリンタの設定可能な最高解像度の１ドット単位で作成したパターンで往路に対し復路のパターンを印刷データで１ドット毎ずらして印字し、センサで往路と復路で同じ範囲で読み取り、往路と復路でもっとも近いセンサ値の分布を示したパターンをプリンタの最適な往復レジ値とする。
【請求項３】
プリントヘッドを具備するプリンタの調整方法において、プリンタの設定可能な最高解像度の１ドット単位で作成したパターンで往路に対し復路のパターンを印刷データで１ドット毎ずらして印字し、センサの双方レジ値をプリンタの調整可能な最高解像度でセンサを往路に対し復路を１ドット毎ずらして、センサで往路と復路で読み取り、往路と復路でもっとも近いセンサ値の分布を示したパターンをプリンタの最適な往復レジ値とする。
【請求項４】
プリントヘッドを具備するプリンタの調整方法において、プリンタの設定可能な最高解像度の１ドット単位で作成したパターンで往路に対し復路のパターンを印刷データで１ドット毎ずらして印字し、センサの双方レジ値をプリンタの調整可能な最高解像度でセンサを複路に対し往路を１ドット毎ずらして、センサで往路と復路で読み取り、往路と復路でもっとも近いセンサ値の分布を示したパターンをプリンタの最適な往復レジ値とする。
【請求項５】
プリントヘッドを具備するプリントヘッドの調整方法において、プリンタの設定可能な最高解像度の１ドット単位で作成したパターンで往路の片方向でパターン幅を１ドットごとにずらした調整パターンを印字し、センサの双方レジ値をプリンタの調整可能な最高解像度でセンサを往路に対し復路を１ドット毎ずらして、センサで往路と復路で交互に読み取り、往路と復路でもっとも近いセンサ値の分布を示したパターンをプリンタの最適な往復レジ値とする。
【発明の詳細な説明】
【技術分野】
【０００１】
本発明は画像印刷装置に関する。
【背景技術】
【０００２】
プリンタの往復のレジ調整方法は、１ドットずつ変更して印字した調整用パターンを、ユーザーがもっとも濃度が濃いというドットを変更した値を最適な往復レジ値としていた。
【０００３】
また、往復レジをフォーカスの大きいセンサをもちいて自動調節で行う場合は、往路に対し復路を１ドットづつ変更した調整パターンを変更量の個数を印字して、それぞれのずれ量の調整パターンごとにセンサで読み取った結果を保存しておき、読み取られたセンサ値がもっとも濃度の大きいパターンを最適としていた。
【０００４】
また、往復レジを１個の調整パターンの印字を読み取ることで行う場合は、往路に対し固定量のドット量を設定した調整パターンを復路で印字し、センサが、往路で印字されたパターンの位置と、復路で印字されたパターンの位置を、調整しようとする解像度でセンサし、位置を復路の印字の時にずらした固定量との差を比較することで、往復レジのずれ量としていた。（特許文献１参照）
【特許文献１】特開２００１−１２９９８５号公報
【発明の開示】
【発明が解決しようとする課題】
【０００５】
上記の方法では、ユーザーに設定作業をさせる必要があった。
【０００６】
センサのフォーカスが大きいものをもちいる分布比較方法では、調整パターンを調整対象範囲をレジ調整値を変更した調整パターンを印字する必要がある。
【０００７】
また、１つの調整パターンを読み取るエッジ検出方法で調整を行う場合には、印刷に要する解像度と同等の読み取り解像度がないと、調整パターンのドットの距離がセンサできないため、フォーカスの小さい高価なセンサを必要とした。
【０００８】
そして、センサのフォーカスを小さくするためのセンサ用の設定も要してしまうという問題点がある。本発明は、フォーカスの大きいセンサで、調整パターンを複数印字することなく、プリンタの設定可能な最高解像度で調整する装置を提供することを目的とする。
【課題を解決するための手段】
【０００９】
上記目的を達成するため、本発明は走査線方向に往路に対し１ドット毎に変更した調整パターンを印字し、往路でセンサして取得した値と、復路でのセンサは走査線方向に復路で１ドット毎に変更してセンサし、往路と復路のセンサの読み取り値を比較し差分が閾値を超えたところを往復レジが最適なレジ値とする。
【発明の効果】
【００１０】
本発明は、以上説明したように、センサの解像度が低いフォーカスの大きいもので、プリンタの高解像度の調整が可能となり、プリンタの自動調整機能を搭載するセンサが、安価なセンサを搭載可能となる。
【発明を実施するための最良の形態】
【００１１】
以下、図を参照して説明する。
【００１２】
図１は本実施例のプリンタ装置の構成図である。キャリッジはセンサと印字ヘッドと具備している。
【００１３】
図２はセンサと調整パターンの図である。ｘ（２−１）は調整パターンをシフトする値であり、本実施例では単位を１２００ｄｐｉとする。復路は図２の（２−６）の範囲をセンサし、間隔ａ（２−２）で幅はｂ（２−３）で開始位置ｄ（２−８）はｒ＋紙オフセット量とする。往路は図２の（２−５）の範囲をセンサし、間隔と幅は復路と同じである。ｃ（２−４）は印字する幅である。印字する間隔は（ａ＋ｄ）とする。
【００１４】
本実施例では、調整に用いるインクはセンサが読み取れるものを使用する。センサは可視光でも不可視光を用いるものでもかまわない。
【００１５】
本実施例では、印字ヘッドの調整解像度を１２００ｄｐｉ、センサの双方向レジの設定解像度は１２００ｄｐｉとする。これは分解能力が１２００ｄｐｉということでなく、印字ヘッドと同じように１２００ｄｐｉでキャリッジを制御するという意味である。センサの解像度は３００ｄｐｉとする。双方向レジ値とは往路に対して復路を何ドットずらして印字するかの値である。
【００１６】
本実施例では往路のレジ設定は０として説明する。
【００１７】
以下、図３により調整シーケンスを説明する。
【００１８】
調整パターンは１２００ｄｐｉ単位で走査線方向に−５ドットから＋５ドットシフトしたものを印字する。（３−１）
双方向レジ値０に設定（３−３）して往路をスキャンする。（３−４）
往路を宣さした結果は図４である。
【００１９】
双方向レジ値をｒ（２−８）に設定（３−５）して復路をスキャンする（３−６）。
【００２０】
上の動作を双方向レジ値を−５から＋５まで設定を変更しながらおこなう。（３−２）
本実施例では、−１から＋２のレジ値決定の流れを説明する。双方向レジを−１に設定してスキャンした結果が図４である。
【００２１】
図４では＋方向にシフトされて印字した範囲のセンサ出力が往路に比べて低く、往路では出力０の−方向にシフトされて印字した範囲のセンサ出力が高いが、現時点でのレジ値の１位候補とする。
【００２２】
候補の順位の決定は分布を比較して近似している値を多く持つ分布で決定してもよいし、往路での出力がピークを示したパターンの個数と、復路での出力がピークを示したパターンの個数を比較してピークの個数で決定してもよい。
【００２３】
本実施例では、分布を比較して候補を決定する方法で説明を進める。
【００２４】
双方向レジを０に設定してセンサでスキャンした結果が図５である。
【００２５】
往路と復路のセンサした結果を比較する。（３−７）
図５では＋方向にシフトして印字した範囲のセンサ出力が往路に比べて低く、往路では出力０の−方向にシフトして印字した範囲のセンサ出力が高いが、センサの双方向レジを−１に設定したのセンサ出力分布より、往路と復路が近似しているので、０を１位候補にし−１を２位候補にする。（３−８）
双方向レジを＋１に設定してセンサでスキャンした結果が図６である。
【００２６】
図６では＋方向にシフトして印字した範囲のセンサ出力が往路に近い値をだし、−方向にシフトして印字した範囲のセンサ出力も往路に近い値をだしていることで、往路と復路が０のレジ値のセンサ出力分布より往路と往路が近似しているので、＋１を１位候補、０を２位候補、−１を３位候補とする。双方向レジを＋２に設定してスキャンした結果が図７である。
【００２７】
復路のセンサの出力分布が全体的に＋方向に往路と比べずれていることと、＋１のレジ値のセンサ出力分布より往路と復路が近似していないが、０のレジ値のセンサ出力分布より往路と復路が近似しているので、＋１は１位候補、＋２が２位候補、０を３位候補、−１を４位候補とする。
【００２８】
この動作を−５から＋５までくりかえした結果の１位候補となっているレジ値を最適なレジ値とし、プリンタの双方向レジ値と決定する。（３−９）
【図面の簡単な説明】
【００２９】
【図１】プリンタ装置の構成図。
【図２】パターンの説明図。
【図３】レジ値決定のシーケンス。
【図４】往路のセンサ結果。
【図５】復路−１のセンサ結果。
【図６】復路０のセンサ結果。
【図７】復路＋１のセンサ結果。
【図８】復路＋２のセンサ結果。
【図１】
2006123457.tif 000003
【図２】
2006123457.tif 000004
【図３】
2006123457.tif 000005
【図４】
2006123457.tif 000006
【図５】
2006123457.tif 000007
【図６】
2006123457.tif 000008
【図７】
2006123457.tif 000009
【図８】
2006123457.tif 000010